(57)【要約】【課題】リモートコントローラの簡易な操作で、所望の時間間隔ごとに得られる時刻を通信対象に送信可能にすることが目的とされる。【解決手段】リモートコントローラ１ａは、計算部１１、表示部１２、送信部１３、操作部１４及び制御部１５を備える。制御部１５は、計算部１１、表示部１２、送信部１３及び操作部１４の制御を行う。操作部１４では、ユーザーによって時間間隔Ｔ及び時刻ｔinが入力される。時間間隔Ｔは変更可能である。計算部１１は、時間間隔Ｔと時刻ｔinとに基づいて、時間間隔に０以外の整数ｍを乗算した結果を時刻ｔinに加算して少なくとも一つの時刻ｔout（ｍ）を求める。表示部１２は、時刻ｔout（ｍ）を少なくとも一つ表示する。送信部１３は、表示された時刻ｔout（ｍ１）からユーザーによって選択される一の時刻ｔout（ｐ）を、通信対象２に送信する。【選択図】図２
2006317119.tif 000002
【特許請求の範囲】
【請求項１】
変更可能な時間間隔（Ｔ）に基づいて、前記時間間隔に０以外の整数（ｍ）を乗算した結果に基づく情報（ｔout（１）〜ｔout（ｎ））を求める計算部（１１）と、
前記情報の少なくとも一つを表示する表示部（１２）と、
表示された前記情報から選択される一の前記情報（ｔout（ｐ））を、通信対象（２）に送信する送信部（１３）と
を備える、リモートコントローラ。
【請求項２】
前記計算部（１１）は前記結果を前記情報として求める、請求項１記載のリモートコントローラ。
【請求項３】
前記計算部（１１）は、更に第１の時刻（ｔin）に基づいて、前記第１の時刻に前記結果を加算して得られる少なくとも一つの第２の時刻（ｔout（１）〜ｔout（ｎ））を前記情報として求める、請求項１記載のリモートコントローラ。
【請求項４】
前記第１の時刻（ｔin）は就寝時刻（ｔb）であって、前記時間間隔（Ｔ）は睡眠周期（Ｔs）を含む範囲で変更可能であり、
前記計算部（１１）は、前記時間間隔に１以上の整数（ｍ）を乗算した結果を前記就寝時刻に加算して前記第２の時刻（ｔout（１）〜ｔout（ｎ））を求める、請求項３記載のリモートコントローラ。
【請求項５】
前記第１の時刻（ｔin）は起床時刻（ｔr）であって、前記時間間隔（Ｔ）は睡眠周期（Ｔs）を含む範囲で変更可能であり、
前記計算部（１１）は、前記時間間隔に１以上の整数（ｍ）を乗算した結果を前記起床時刻から減算して前記第２の時刻（ｔout（１）〜ｔout（ｎ））を求める、請求項３記載のリモートコントローラ。
【請求項６】
請求項１に記載のリモートコントローラ（１）と、
前記通信対象であって、前記送信部（１３）から送信される前記情報（ｔout（ｐ））に基づいて環境制御を行う空調機（２）と
を備える、空調システム。
【請求項７】
前記リモートコントローラ（１）が備える前記計算部（１１）は前記結果を前記情報として求める、請求項６記載の空調システム。
【請求項８】
前記リモートコントローラ（１）が備える前記計算部（１１）は、更に第１の時刻（ｔin）に基づいて、前記第１の時刻に前記結果を加算して得られる少なくとも一つの第２の時刻（ｔout（１）〜ｔout（ｎ））を前記情報として求める、請求項６記載の空調システム。
【請求項９】
前記送信部（１３）は前記第１の時刻（ｔin）をも前記通信対象に送信し、
前記空調機は、前記第１及び前記第２の時刻（ｔout（ｐ））に基づいて前記環境制御を行う、請求項８記載の空調システム。
【請求項１０】
前記第１の時刻（ｔin）は就寝時刻（ｔb）であって、前記時間間隔（Ｔ）は睡眠周期（Ｔs）を含む範囲で変更可能であり、
前記計算部（１１）は、前記時間間隔に１以上の整数（ｍ）を乗算した結果を前記就寝時刻に加算して前記第２の時刻（ｔout（１）〜ｔout（ｎ））を求める、請求項８または請求項９記載の空調システム。
【請求項１１】
前記空調機（２）は、前記第２の時刻（ｔout（ｐ））での覚醒を促進する前記環境制御を行う、請求項１０記載の空調システム。
【請求項１２】
前記第１の時刻（ｔin）は起床時刻（ｔr）であって、前記時間間隔（Ｔ）は睡眠周期（Ｔs）を含む範囲で変更可能であり、
前記計算部（１１）は、前記時間間隔に１以上の整数（ｍ）を乗算した結果を前記起床時刻から減算して前記第２の時刻（ｔout（１）〜ｔout（ｎ））を求める、請求項８または請求項９記載の空調システム。
【請求項１３】
前記空調機（２）は、前記第１の時刻（ｔin）での覚醒を促進する前記環境制御を行う、請求項１２記載の空調システム。
【請求項１４】
睡眠周期（Ｔs）に基づいて、前記睡眠周期に０以外の整数（ｍ）を乗算した結果に基づく情報（ｔout（１）〜ｔout（ｎ））を求める計算部（１１）と、
前記情報を少なくとも一つ表示する表示部（１２）と、
表示された前記情報から選択される一の前記情報（ｔout（ｐ））を、通信対象（２）に送信する送信部（１３）と
を備える、リモートコントローラ。
【請求項１５】
前記計算部（１１）は前記結果を前記情報として求める、請求項１４記載のリモートコントローラ。
【請求項１６】
前記計算部（１１）は、更に第１の時刻（ｔin）に基づいて、前記第１の時刻に前記結果を加算して得られる少なくとも一つの第２の時刻（ｔout（１）〜ｔout（ｎ））を前記情報として求める、請求項１４記載のリモートコントローラ。
【請求項１７】
前記第１の時刻（ｔin）は就寝時刻（ｔb）であって、
前記計算部（１１）は、１以上の前記整数（ｍ）について得られる前記結果を前記就寝時刻に加算して少なくとも一つの第２の時刻（ｔout（１）〜ｔout（ｎ））を前記情報として求める、請求項１６記載のリモートコントローラ。
【請求項１８】
前記第１の時刻（ｔin）は起床時刻（ｔr）であって、
前記計算部（１１）は、１以上の前記整数（ｍ）について得られる前記結果を前記起床時刻から減算して少なくとも一つの第２の時刻（ｔout（１）〜ｔout（ｎ））を前記情報として求める、請求項１６記載のリモートコントローラ。
【請求項１９】
請求項１４に記載のリモートコントローラ（１）と、
前記通信対象であって、前記送信部（１３）から送信される前記情報（ｔout（ｐ））に基づいて環境制御を行う空調機（２）と
を備える、空調システム。
【請求項２０】
前記リモートコントローラ（１）が備える前記計算部（１１）は前記結果を前記情報として求める、請求項１９記載の空調システム。
【請求項２１】
前記リモートコントローラ（１）が備える前記計算部（１１）は、更に第１の時刻（ｔin）に基づいて、前記第１の時刻に前記結果を加算して得られる少なくとも一つの第２の時刻（ｔout（１）〜ｔout（ｎ））を前記情報として求める、請求項１９記載の空調システム。
【請求項２２】
前記送信部は（１３）は前記第１の時刻（ｔin）をも前記通信対象（２）に送信し、
前記空調機（２）は、前記第１及び前記第２の時刻（ｔout（ｐ））に基づいて前記環境制御を行う、請求項２１記載の空調システム。
【請求項２３】
前記第１の時刻（ｔin）は就寝時刻（ｔb）であって、
前記計算部（１１）は、１以上の前記整数（ｍ）について得られる前記結果を前記就寝時刻に加算して少なくとも一つの第２の時刻（ｔout（１）〜ｔout（ｎ））を前記情報として求める、請求項２１または請求項２２記載の空調システム。
【請求項２４】
前記空調機（２）は、前記第２の時刻（ｔout（ｐ））での覚醒を促進する前記環境制御を行う、請求項２３記載の空調システム。
【請求項２５】
前記第１の時刻（ｔin）は起床時刻（ｔr）であって、
前記計算部（１１）は、１以上の前記整数（ｍ）について得られる前記結果を前記起床時刻から減算して少なくとも一つの第２の時刻（ｔout（１）〜ｔout（ｎ））を前記情報として求める、請求項２１または請求項２２記載の空調システム。
【請求項２６】
前記空調機（２）は、前記第１の時刻（ｔin）での覚醒を促進する前記環境制御を行う、請求項２５記載の空調システム。
【発明の詳細な説明】
【技術分野】
【０００１】
本発明は、リモートコントローラ及び空調システムに関する。
【背景技術】
【０００２】
リモートコントローラは、操作部及び送信部を備え、操作部で入力された指令を送信部から通信対象に送信する。当該指令に基づいて、当該通信対象が制御される。
【０００３】
さらに、リモートコントローラは表示部を備え、ユーザーは操作部で入力した指令を視認することができる。
【０００４】
本発明に関連する技術を以下に示す。
【０００５】
【特許文献１】特開平９−１９６４３３号公報
【特許文献２】特開平５−２９６５２５号公報
【特許文献３】特開平６−２９４５３９号公報
【特許文献４】特開平１１−２４１８５３号公報
【発明の開示】
【発明が解決しようとする課題】
【０００６】
上記特許文献１では、空調機を通信対象としタイマ設定が可能なリモートコントローラが、従来技術として紹介されている。当該リモートコントローラでは、操作部のボタンを押すことで空調機をオンまたはオフする時刻を設定できる。具体的には、当該ボタンを一回押す毎に１時間を時間間隔として当該時刻を変更できる。
【０００７】
しかし、時間間隔が１時間に固定されていると、例えば分単位でタイマ設定を行うことができない。一方、時間間隔を分単位で例えば１０分に固定すれば、所望のタイマ設定を行うためにボタンを多数回に亘り押す必要があり、操作が煩雑になる。
【０００８】
本発明は上述した事情に鑑みてなされたものであり、リモートコントローラの簡易な操作で、所望の時間間隔ごとに得られる時刻を通信対象に送信可能にすることが目的とされる。
【課題を解決するための手段】
【０００９】
この発明の請求項１にかかるリモートコントローラは、変更可能な時間間隔（Ｔ）に基づいて、前記時間間隔に０以外の整数（ｍ）を乗算した結果に基づく情報（ｔout（１）〜ｔout（ｎ））を求める計算部（１１）と、前記情報の少なくとも一つを表示する表示部（１２）と、表示された前記情報から選択される一の前記情報（ｔout（ｐ））を、通信対象（２）に送信する送信部（１３）とを備える。
【００１０】
この発明の請求項２にかかるリモートコントローラは、請求項１記載のリモートコントローラであって、前記計算部（１１）は前記結果を前記情報として求める。
【００１１】
この発明の請求項３にかかるリモートコントローラは、請求項１記載のリモートコントローラであって、前記計算部（１１）は、更に第１の時刻（ｔin）に基づいて、前記第１の時刻に前記結果を加算して得られる少なくとも一つの第２の時刻（ｔout（１）〜ｔout（ｎ））を前記情報として求める。
【００１２】
この発明の請求項４にかかるリモートコントローラは、請求項３記載のリモートコントローラであって、前記第１の時刻（ｔin）は就寝時刻（ｔb）であり、前記時間間隔（Ｔ）は睡眠周期（Ｔs）を含む範囲で変更可能であり、前記計算部（１１）は、前記時間間隔に１以上の整数（ｍ）を乗算した結果を前記就寝時刻に加算して前記第２の時刻（ｔout（１）〜ｔout（ｎ））を求める。
【００１３】
この発明の請求項５にかかるリモートコントローラは、請求項３記載のリモートコントローラであって、前記第１の時刻（ｔin）は起床時刻（ｔr）であり、前記時間間隔（Ｔ）は睡眠周期（Ｔs）を含む範囲で変更可能であり、前記計算部（１１）は、前記時間間隔に１以上の整数（ｍ）を乗算した結果を前記起床時刻から減算して前記第２の時刻（ｔout（１）〜ｔout（ｎ））を求める。
【００１４】
この発明の請求項６にかかる空調システムは、請求項１に記載のリモートコントローラ（１）と、前記通信対象であって、前記送信部（１３）から送信される前記情報（ｔout（ｐ））に基づいて環境制御を行う空調機（２）とを備える。
【００１５】
この発明の請求項７にかかる空調システムは、請求項６記載の空調システムであって、前記リモートコントローラ（１）が備える前記計算部（１１）は前記結果を前記情報として求める。
【００１６】
この発明の請求項８にかかる空調システムは、請求項６記載の空調システムであって、前記リモートコントローラ（１）が備える前記計算部（１１）は、更に第１の時刻（ｔin）に基づいて、前記第１の時刻に前記結果を加算して得られる少なくとも一つの第２の時刻（ｔout（１）〜ｔout（ｎ））を前記情報として求める。
【００１７】
この発明の請求項９にかかる空調システムは、請求項８記載の空調システムであって、前記送信部（１３）は前記第１の時刻（ｔin）をも前記通信対象に送信し、前記空調機は、前記第１及び前記第２の時刻（ｔout（ｐ））に基づいて前記環境制御を行う。
【００１８】
この発明の請求項１０にかかる空調システムは、請求項８または請求項９記載の空調システムであって、前記第１の時刻（ｔin）は就寝時刻（ｔb）であり、前記時間間隔（Ｔ）は睡眠周期（Ｔs）を含む範囲で変更可能であり、前記計算部（１１）は、前記時間間隔に１以上の整数（ｍ）を乗算した結果を前記就寝時刻に加算して前記第２の時刻（ｔout（１）〜ｔout（ｎ））を求める。
【００１９】
この発明の請求項１１にかかる空調システムは、請求項１０記載の空調システムであって、前記空調機（２）は、前記第２の時刻（ｔout（ｐ））での覚醒を促進する前記環境制御を行う。
【００２０】
この発明の請求項１２にかかる空調システムは、請求項８または請求項９記載の空調システムであって、前記第１の時刻（ｔin）は起床時刻（ｔr）であり、前記時間間隔（Ｔ）は睡眠周期（Ｔs）を含む範囲で変更可能であり、前記計算部（１１）は、前記時間間隔に１以上の整数（ｍ）を乗算した結果を前記起床時刻から減算して前記第２の時刻（ｔout（１）〜ｔout（ｎ））を求める。
【００２１】
この発明の請求項１３にかかる空調システムは、請求項１２記載の空調システムであって、前記空調機（２）は、前記第１の時刻（ｔin）での覚醒を促進する前記環境制御を行う。
【００２２】
この発明の請求項１４にかかるリモートコントローラは、睡眠周期（Ｔs）に基づいて、前記睡眠周期に０以外の整数（ｍ）を乗算した結果に基づく情報（ｔout（１）〜ｔout（ｎ））を求める計算部（１１）と、前記情報を少なくとも一つ表示する表示部（１２）と、表示された前記情報から選択される一の前記情報（ｔout（ｐ））を、通信対象（２）に送信する送信部（１３）とを備える。
【００２３】
この発明の請求項１５にかかるリモートコントローラは、請求項１４記載のリモートコントローラであって、前記計算部（１１）は前記結果を前記情報として求める。
【００２４】
この発明の請求項１６にかかるリモートコントローラは、請求項１４記載のリモートコントローラであって、前記計算部（１１）は、更に第１の時刻（ｔin）に基づいて、前記第１の時刻に前記結果を加算して得られる少なくとも一つの第２の時刻（ｔout（１）〜ｔout（ｎ））を前記情報として求める。
【００２５】
この発明の請求項１７にかかるリモートコントローラは、請求項１６記載のリモートコントローラであって、前記第１の時刻（ｔin）は就寝時刻（ｔb）であり、前記計算部（１１）は、１以上の前記整数（ｍ）について得られる前記結果を前記就寝時刻に加算して少なくとも一つの第２の時刻（ｔout（１）〜ｔout（ｎ））を前記情報として求める。
【００２６】
この発明の請求項１８にかかるリモートコントローラは、請求項１６記載のリモートコントローラであって、前記第１の時刻（ｔin）は起床時刻（ｔr）であり、前記計算部（１１）は、１以上の前記整数（ｍ）について得られる前記結果を前記起床時刻から減算して少なくとも一つの第２の時刻（ｔout（１）〜ｔout（ｎ））を前記情報として求める。
【００２７】
この発明の請求項１９にかかる空調システムは、請求項１４に記載のリモートコントローラ（１）と、前記通信対象であって、前記送信部（１３）から送信される前記情報（ｔout（ｐ））に基づいて環境制御を行う空調機（２）とを備える。
【００２８】
この発明の請求項２０にかかる空調システムは、請求項１９記載の空調システムであって、前記リモートコントローラ（１）が備える前記計算部（１１）は前記結果を前記情報として求める。
【００２９】
この発明の請求項２１にかかる空調システムは、請求項１９記載の空調システムであって、前記リモートコントローラ（１）が備える前記計算部（１１）は、更に第１の時刻（ｔin）に基づいて、前記第１の時刻に前記結果を加算して得られる少なくとも一つの第２の時刻（ｔout（１）〜ｔout（ｎ））を前記情報として求める。
【００３０】
この発明の請求項２２にかかる空調システムは、請求項２１記載の空調システムであって、前記送信部は（１３）は前記第１の時刻（ｔin）をも前記通信対象（２）に送信し、前記空調機（２）は、前記第１及び前記第２の時刻（ｔout（ｐ））に基づいて前記環境制御を行う。
【００３１】
この発明の請求項２３にかかる空調システムは、請求項２１または請求項２２記載の空調システムであって、前記第１の時刻（ｔin）は就寝時刻（ｔb）であり、前記計算部（１１）は、１以上の前記整数（ｍ）について得られる前記結果を前記就寝時刻に加算して少なくとも一つの第２の時刻（ｔout（１）〜ｔout（ｎ））を前記情報として求める。
【００３２】
この発明の請求項２４にかかる空調システムは、請求項２３記載の空調システムであって、前記空調機（２）は、前記第２の時刻（ｔout（ｐ））での覚醒を促進する前記環境制御を行う。
【００３３】
この発明の請求項２５にかかる空調システムは、請求項２１または請求項２２記載の空調システムであって、前記第１の時刻（ｔin）は起床時刻（ｔr）であり、前記計算部（１１）は、１以上の前記整数（ｍ）について得られる前記結果を前記起床時刻から減算して少なくとも一つの第２の時刻（ｔout（１）〜ｔout（ｎ））を前記情報として求める。
【００３４】
この発明の請求項２６にかかる空調システムは、請求項２５記載の空調システムであって、前記空調機（２）は、前記第１の時刻（ｔin）での覚醒を促進する前記環境制御を行う。
【発明の効果】
【００３５】
この発明の請求項１にかかるリモートコントローラによれば、リモートコントローラの簡易な操作で、所望の時間間隔ごとに得られる情報を通信対象に送信できる。しかも、時間間隔が変更可能であるので、ユーザー毎の生活パターンに則して通信対象の動作を制御することができる。
【００３６】
この発明の請求項２にかかるリモートコントローラによれば、送信部から通信対象へと送信するデータ量を減らすことができる。または、通信対象が時計を内蔵していない場合であっても、ユーザー毎の生活パターンに則した動作を当該通信対象にさせることができる。
【００３７】
この発明の請求項３にかかるリモートコントローラによれば、第１の時刻と所望の時間間隔とに基づいて第２の時刻が求められ、この時刻が通信対象に送信されるので、ユーザー毎の生活パターンに則して通信対象の動作を制御することができる。
【００３８】
この発明の請求項４にかかるリモートコントローラによれば、時間間隔として睡眠周期を採用することで、就寝時刻と第２の時刻との時間間隔が睡眠周期の整数倍となり、第２の時刻を睡眠状態がレム睡眠の時に合わせることができる。よって、通信対象に第２の時刻での覚醒を促進させる動作をさせることで、ユーザーの睡眠についての満足度を高めることができる。
【００３９】
この発明の請求項５にかかるリモートコントローラによれば、時間間隔として睡眠周期を採用することで、第２の時刻と起床時刻との時間間隔が睡眠周期の整数倍となり、さらに第２の時刻を就寝時刻として採用した場合には、起床時刻を睡眠状態がレム睡眠の時に合わせることができる。よって、通信対象に起床時刻での覚醒を促進させる動作をさせることで、ユーザーの睡眠についての満足度を高めることができる。
【００４０】
この発明の請求項６にかかる空調システムによれば、ユーザーが選択した情報に基づいて所望の環境を得ることができる。
【００４１】
この発明の請求項７にかかる空調システムによれば、送信部から通信対象へと送信するデータ量を減らすことができる。または、通信対象が時計を内蔵していない場合であっても、ユーザー毎の生活パターンに則した動作を当該通信対象にさせることができる。
【００４２】
この発明の請求項８にかかる空調システムによれば、ユーザーが選択した第２の時刻において所望の環境を得ることができる。
【００４３】
この発明の請求項９にかかる空調システムによれば、第１の時刻においても所望の環境を得ることができる。
【００４４】
この発明の請求項１０にかかる空調システムによれば、時間間隔として睡眠周期を採用することで、就寝時刻と第２の時刻との時間間隔が睡眠周期の整数倍となり、第２の時刻を睡眠状態がレム睡眠の時に合わせることができる。よって、通信対象に第２の時刻での覚醒を促進させる動作をさせることで、ユーザーの睡眠についての満足度を高めることができる。
【００４５】
この発明の請求項１１にかかる空調システムによれば、第２の時刻での覚醒が促進されるので、レム睡眠の時に起床することができる。よって快適な起床を得ることができる。
【００４６】
この発明の請求項１２にかかる空調システムによれば、時間間隔として睡眠周期を採用することで、第２の時刻と起床時刻との時間間隔が睡眠周期の整数倍となり、さらに第２の時刻を就寝時刻として採用した場合には、起床時刻を睡眠状態がレム睡眠の時に合わせることができる。よって、通信対象に第１の時刻での覚醒を促進させる動作をさせることで、ユーザーの睡眠についての満足度を高めることができる。
【００４７】
この発明の請求項１３にかかる空調システムによれば、第１の時刻での覚醒が促進されるので、レム睡眠の時に起床することができる。よって快適な起床を得ることができる。
【００４８】
この発明の請求項１４にかかるリモートコントローラによれば、リモートコントローラの簡易な操作で、睡眠周期ごとに得られる情報を通信対象に送信できる。しかも、当該情報に基づいて通信対象の動作を制御することにより、ユーザーの睡眠についての満足度を高めることができる。
【００４９】
この発明の請求項１５にかかるリモートコントローラによれば、送信部から通信対象へと送信するデータ量を減らすことができる。または、通信対象が時計を内蔵していない場合であっても、ユーザーの睡眠についての満足度を高める動作を当該通信対象にさせることができる。
【００５０】
この発明の請求項１６にかかるリモートコントローラによれば、第１の時刻と睡眠周期とに基づいて第２の時刻が求められ、この時刻が通信対象に送信されるので、ユーザーの睡眠についての満足度を高めることができる。
【００５１】
この発明の請求項１７にかかるリモートコントローラによれば、就寝時刻と第２の時刻との時間間隔が睡眠周期の整数倍であるので、第２の時刻を睡眠状態がレム睡眠の時に合わせることができる。よって、通信対象に第２の時刻での覚醒を促進させる動作をさせることで、ユーザーの睡眠についての満足度を高めることができる。
【００５２】
この発明の請求項１８にかかるリモートコントローラによれば、第２の時刻と起床時刻との時間間隔が睡眠周期の整数倍であるので、第２の時刻を就寝時刻として採用した場合には、起床時刻を睡眠状態がレム睡眠の時に合わせることができる。よって、通信対象に起床時刻での覚醒を促進させる動作をさせることで、ユーザーの睡眠についての満足度を高めることができる。
【００５３】
この発明の請求項１９にかかる空調システムによれば、ユーザーが選択した情報に基づいて所望の環境を得ることができる。
【００５４】
この発明の請求項２０にかかる空調システムによれば、送信部から通信対象へと送信するデータ量を減らすことができる。または、通信対象が時計を内蔵していない場合であっても、ユーザーの睡眠についての満足度を高める動作を当該通信対象にさせることができる。
【００５５】
この発明の請求項２１にかかる空調システムによれば、ユーザーが選択した第２の時刻において所望の環境を得ることができる。
【００５６】
この発明の請求項２２にかかる空調システムによれば、第１の時刻においても所望の環境を得ることができる。
【００５７】
この発明の請求項２３にかかる空調システムによれば、就寝時刻と第２の時刻との時間間隔が睡眠周期の整数倍であるので、第２の時刻を睡眠状態がレム睡眠の時に合わせることができる。よって、通信対象に第２の時刻での覚醒を促進させる動作をさせることで、ユーザーの睡眠についての満足度を高めることができる。
【００５８】
この発明の請求項２４にかかる空調システムによれば、第２の時刻での覚醒が促進されるので、レム睡眠の時に起床することができる。よって快適な起床を得ることができる。
【００５９】
この発明の請求項２５にかかる空調システムによれば、第２の時刻と起床時刻との時間間隔が睡眠周期の整数倍であるので、第２の時刻を就寝時刻として採用した場合には、起床時刻を睡眠状態がレム睡眠の時に合わせることができる。よって、通信対象に起床時刻での覚醒を促進させる動作をさせることで、ユーザーの睡眠についての満足度を高めることができる。
【００６０】
この発明の請求項２６にかかる空調システムによれば、第１の時刻での覚醒が促進されるので、レム睡眠の時に起床することができる。よって快適な起床を得ることができる。
【発明を実施するための最良の形態】
【００６１】
図１は、本発明にかかる空調システムを概念的に示す図である。空調システムは、リモートコントローラ１と、その通信対象である空調機２とを備える。
【００６２】
リモートコントローラ１は、計算部１１、表示部１２、送信部１３、操作部１４及び制御部１５を備える。なお、計算部１１及び制御部１５は、例えばリモートコントローラ１に内蔵されており、図１では破線で示されている。
【００６３】
制御部１５は、計算部１１、表示部１２、送信部１３及び操作部１４の制御を行う。
【００６４】
操作部１４は、例えば複数のボタン１４１を有する。ユーザーはボタン１４１を押すことで、後述する時間間隔Ｔや時刻ｔinを入力することができる。
【００６５】
空調機２は、リモートコントローラ１から送信される指令、すなわち後述する時刻ｔout（ｐ）に基づいて環境を制御する。
【００６６】
以下では、本発明にかかるリモートコントローラ１の動作について説明する。なお、当該動作の態様ごとにリモートコントローラ１を符号１ａ〜１ｄで表している。
【００６７】
第１の実施の形態．
図２は本実施の形態にかかるリモートコントローラ１ａの動作をブロック図で概念的に示し、図３は当該動作をフローで示す。
【００６８】
操作部１４では、ユーザーによって時間間隔Ｔ及び時刻ｔinが入力される（ステップ３１）。時刻ｔinには、例えば就寝時刻ｔbが採用できる。時間間隔Ｔは変更可能であり、ユーザーは所望の時間間隔Ｔを入力することができる。時間間隔Ｔは、例えば睡眠周期Ｔsを含む範囲で変更可能である。
【００６９】
入力された時間間隔Ｔ及び時刻ｔinは、制御部１５を介して計算部１１に与えられる（図２）。例えば、制御部１５を介さずに、制御部１５による制御に従って操作部１４から計算部１１に直接与えられても良い。
【００７０】
計算部１１は、式（１）に従って、時間間隔Ｔ及び時刻ｔinから１以上ｎ（ｎは１以上の整数）以下の範囲にある整数ｍの全てについて時刻ｔout（ｍ）を求め（ステップ３２）、これらの全てを制御部１５に与える。
【００７１】
【数１】
2006317119.tif 000003
【００７２】
制御部１５は、予め準備された一の整数ｍ１に従って時刻ｔout（１）〜ｔout（ｎ）のうちの一の時刻ｔout（ｍ１）を表示部１２に与え、これを表示部１２に表示させる（ステップ３３）。そして、ユーザーは、表示された時刻ｔout（ｍ１）を選択するか否かの指令Ｓを操作部１４から入力する（ステップ３４）。
【００７３】
具体的には、まず制御部１５では整数ｍ１の初期値として１が予め準備されており、この整数ｍ１に従って時刻ｔout（１）が制御部１５から表示部１２に与えられ、表示部１２で表示される（ステップ３３）。ユーザーは、表示部１２に表示された時刻ｔout（１）を視認して、これを選択するか否かの指令Ｓを操作部１４から入力する（ステップ３４）。表示部１２に表示された時刻ｔout（１）が選択されなかった場合には、制御部１５では整数ｍ１（＝１）に１を加算した値（ｍ１＋１）を新たに整数ｍ１（＝２）として（ステップ３５）、表示部１２に新たに時刻ｔout（２）を与えて表示させる（ステップ３３）。ユーザーは、表示部１２に新たに表示された時刻ｔout（２）を視認して、時刻ｔout（２）を選択するか否かの指令Ｓを操作部１４から新たに入力する（ステップ３４）。そして、表示部１２で表示された時刻ｔout（ｍ１）がユーザーによって選択されるまで、ステップ３３〜３５が繰り返される。
【００７４】
制御部１５は、時刻ｔout（１）〜ｔout（ｎ）の全てを表示部１２に表示させても良い。このとき、ユーザーは、表示部１２に表示された時刻ｔout（１）〜ｔout（ｎ）から一を選択する指令Ｓを制御部１４で入力する。
【００７５】
選択された時刻ｔout（ｍ１）（以下では、これを時刻ｔout（ｐ）とする。）は、送信部１３から通信対象２に送信される（ステップ３６）。これに並行して、時刻ｔinを通信対象２に送信しても良い。
【００７６】
上述したリモートコントローラ１ａは、次のように把握することができる。つまり、リモートコントローラ１ａは、計算部１１、表示部１２及び送信部１３を備える。計算部１１は、変更可能な時間間隔Ｔと時刻ｔinとに基づいて、時間間隔Ｔに０以外の整数ｍを乗算した結果を時刻ｔinに加算して少なくとも一つの時刻ｔout（ｍ）を求める。表示部１２は、時刻ｔout（ｍ）を少なくとも一つ表示する。送信部１３は、表示された時刻ｔout（ｍ１）から選択される一の時刻ｔout（ｐ）を、通信対象２に送信する。
【００７７】
また、時刻ｔout（ｍ）は、時間間隔Ｔに０以外の整数ｍを乗算した結果に基づく情報と把握することができる。
【００７８】
このようなリモートコントローラ１ａによれば、リモートコントローラ１ａの簡易な操作で、所望の時間間隔Ｔごとに得られる時刻ｔout（ｐ）を通信対象２に送信できる。しかも、時間間隔Ｔが変更可能であるので、ユーザー毎の生活パターンに則して通信対象２の動作を制御することができる。
【００７９】
そして、時刻ｔinとして就寝時刻ｔbを、時間間隔Ｔとして睡眠周期Ｔsをそれぞれ採用することが（図３）、次の観点から特に望ましい。すなわち、就寝時刻ｔbと時刻ｔout（ｐ）との時間間隔（ｔout（ｐ）−ｔb）が睡眠周期Ｔsの整数倍Ｔs・ｐとなり、時刻ｔout（ｐ）を睡眠状態がレム睡眠の時に合わせることができる。よって、通信対象２に時刻ｔout（ｐ）での覚醒を促進させる動作をさせることで、ユーザーの睡眠について満足度を高めることができる。
【００８０】
睡眠周期Ｔsは、一般的には９０分として知られているが、ユーザーは例えば体調などによって９０分からずれた時間を時間間隔Ｔとして設定したい場合もある。本実施の形態にかかるリモートコントローラ１ａによれば、時間間隔Ｔは変更可能なので、ユーザーごとに所望の時間間隔Ｔを設定することができる。本実施の形態の以下で説明するリモートコントローラ１ａ及び第２の実施の形態で説明するリモートコントローラ１ｂについて同様である。
【００８１】
図４は、リモートコントローラ１ａの上述とは異なる動作をフローで示す。図４では、図３で示されるステップ３２に代えて、ステップ３２１が採用されている。その他のステップ３１，３３〜３６については図３で示されるものと同じである。なお、図２で示される態様については、そのまま適用することができる。
【００８２】
ステップ３２１では、計算部１１が、式（２）に従って、時間間隔Ｔ及び時刻ｔinから１以上ｎ以下の範囲にある整数ｍの全てについて時刻ｔout（ｍ）を求める。
【００８３】
【数２】
2006317119.tif 000004
【００８４】
このようなリモートコントローラ１ａは、上述したのと同様に把握することができ、同様の効果が得られる。そして、時刻ｔinとして起床時刻ｔrを、時間間隔Ｔとして睡眠周期Ｔsをそれぞれ採用することが（図４）、次の観点から特に望ましい。すなわち、起床時刻ｔrと選択した時刻ｔout（ｐ）との時間間隔（ｔr−ｔout（ｐ））が睡眠周期Ｔsの整数倍Ｔs・ｐとなり、時刻ｔout（ｐ）を就寝時刻ｔbとして採用した場合には、起床時刻ｔrを睡眠状態がレム睡眠の時に合わせることができる。よって、通信対象２に起床時刻ｔrでの覚醒を促進させる動作をさせることで、ユーザーの睡眠について満足度を高めることができる。
【００８５】
上述したいずれのリモートコントローラ１ａにおいても、例えば時刻ｔinに０を採用しても良い。すなわち、時間間隔Ｔに０以外の整数ｍを乗算し、乗算した結果の一が選択及び送信される。
【００８６】
このような態様によれば、例えば時刻に関する情報を送信するよりも、送信部１３から通信対象２へと送信するデータ量を減らすことができる。または、通信対象２が時計を内蔵していない場合であっても、ユーザー毎の生活パターンに則した動作を通信対象２にさせることができる。具体的には例えば、乗算した結果を通信対象２に送信した時点から通信対象２に動作を開始させ、当該結果にかかる時間が経過した時点で覚醒を促進させる動作をさせる。
【００８７】
第２の実施の形態．
図５は本実施の形態にかかるリモートコントローラ１ｂの動作をブロック図で概念的に示し、図６は当該動作をフローで示す。リモートコントローラ１ｂは、計算部１１及び制御部１５の動作が第１の実施の形態で説明したリモートコントローラ１ａと異なり、その他の構成要素の動作についてはリモートコントローラ１ａと同じである。よって、以下では計算部１１及び制御部１５の動作について説明し、他の構成要素の動作についてはその説明を省略する。なお、図６で示されるステップ４１，４５は、それぞれ図３で示されるステップ３１，３５と同じである。
【００８８】
制御部１５は、一の整数ｍ１、時間間隔Ｔ及び時刻ｔinを計算部１１に与える。計算部１１は、式（１）に従って、整数ｍ１、時間間隔Ｔ及び時刻ｔinから時刻ｔout（ｍ１）を求める（ステップ４２）。ただし、式（１）では整数ｍに代えて整数ｍ１が採用される。時刻ｔout（ｍ１）は、制御部１５を介して表示部１２に与えられ、表示部１２で表示される（ステップ４３）。例えば、制御部１５を介さずに、制御部１５による制御に従って計算部１１から表示部１２に直接与えられても良い。そして、ユーザーは、表示された時刻ｔout（ｍ１）を選択するか否かの指令Ｓを操作部１４から入力する（ステップ４４）。
【００８９】
具体的には、まず整数ｍ１の初期値として１が準備されており、これと時間間隔Ｔ及び時刻ｔinとが、制御部１５から計算部１１に与えられる。整数ｍ１（＝１）、時間間隔Ｔ及び時刻ｔinに基づいて時刻ｔout（１）が計算部１１で求められ（ステップ４２）、その時刻ｔout（１）が表示部１２で表示される（ステップ４３）。ユーザーは、表示部１２に表示された時刻ｔout（１）を視認して、これを選択するか否かをの指令Ｓを操作部１４から入力する（ステップ４４）。表示部１２に表示された時刻ｔout（１）が選択されなかった場合には、制御部１５では整数ｍ１（＝１）に１を加算した値（ｍ１＋１）を新たに整数ｍ１（＝２）として（ステップ４５）、これを計算部１１に与える。このとき、時間間隔Ｔ及び時刻ｔinは、計算部１１に再度与えられても良いし、例えばこれらを計算部１１で記憶しておいても良い。そして、表示部１２に表示された時刻ｔout（ｍ１）がユーザーによって選択されるまで、ステップ４２〜４５が繰り返される。
【００９０】
ステップ４２に代えて、図７に示されるようにステップ４２１を採用しても良い。ステップ４２１では、計算部１１が、式（２）に従って、整数ｍ１、時間間隔Ｔ及び時刻ｔinから時刻ｔout（ｍ１）を求めてもよい。ただし、式（２）では整数ｍに代えて整数ｍ１が採用される。
【００９１】
本実施の形態で説明したリモートコントローラ１ｃによれば、計算部１１での計算（ステップ４２）が式（１）及び式（２）のいずれに従う場合であっても、リモートコントローラ１ｃの簡易な操作で、所望の時間間隔Ｔごとに得られる時刻ｔout（ｐ）を通信対象２に送信できる。しかも、時間間隔Ｔが変更可能であるので、ユーザー毎の生活パターンに則して通信対象２の動作を制御することができる。
【００９２】
計算部１１での計算が式（１）に従う場合には、時刻ｔinとして就寝時刻ｔb（図６）を、時間間隔Ｔとして睡眠周期Ｔsをそれぞれ採用することが特に望ましい。これは、図３で示されるフローに従って動作するリモートコントローラ１ａと同様の効果が得られるからである。
【００９３】
また、計算部１１での計算が式（２）に従う場合には、時刻ｔinとして起床時刻ｔr（図７）を、時間間隔Ｔとして睡眠周期Ｔsをそれぞれ採用することが特に望ましい。これは、図４で示されるフローに従って動作するリモートコントローラ１ａと同様の効果が得られるからである。
【００９４】
なお、本実施の形態にかかる発明は、第１の実施の形態で説明した発明と同様に把握することができる。
【００９５】
第３の実施の形態．
図８は本実施の形態にかかるリモートコントローラ１ｃの動作をブロック図で概念的に示し、図９の当該動作をフローで示す。
【００９６】
操作部１４では、ユーザーによって時刻ｔinが入力される（ステップ５１）。時刻ｔinには、例えば就寝時刻ｔbが採用できる。
【００９７】
入力された時刻ｔinは、制御部１５を介して計算部１１に与えられる（図８）。例えば、制御部１５を介さずに、制御部１５による制御に従って操作部１４から計算部１１に直接与えられても良い。
【００９８】
計算部１１には、さらに睡眠周期Tsが与えられる。睡眠周期Ｔsは、例えば記憶部１６に予め記憶されている（図８）。
【００９９】
計算部１１は、式（３）に従って、睡眠周期Ｔs及び時刻ｔinから１以上ｎ（ｎは１以上の整数）以下の範囲にある整数ｍの全てについて時刻ｔout（ｍ）を求め（ステップ５２）、これらの全てを制御部１５に与える。時刻ｔout（ｍ）は、睡眠周期Ｔsに０以外の整数ｍを乗算した結果に基づく情報と把握することができる。
【０１００】
【数３】
2006317119.tif 000005
【０１０１】
ステップ５３〜５５では、それぞれ第１の実施の形態で説明したステップ３３〜３５（図３）と同様の動作が行われる。そして、時刻ｔout（１）〜ｔout（ｎ）のうち一の時刻ｔout（ｍ１）が選択されるまで、ステップ５３〜５５が繰り返される。
【０１０２】
選択された時刻ｔout（ｍ１）（以下では、これを時刻ｔout（ｐ）とする。）は、送信部１３から通信対象２に送信される（ステップ５６）。これに並行して、時刻ｔinを通信対象２に送信しても良い。
【０１０３】
上述したリモートコントローラ１ｃによれば、リモートコントローラ１ｃの簡易な操作で、睡眠周期Ｔsごとに得られる時刻ｔout（ｐ）を通信対象２に送信できる。しかも、時刻ｔinと時刻ｔout（ｐ）との時間間隔が睡眠周期Ｔsの整数倍Ｔs・ｐであるので、時刻ｔinとして就寝時刻ｔbを採用した場合には、時刻ｔout（ｐ）を睡眠状態がレム睡眠の時に合わせることができる。よって、通信対象２に時刻ｔout（ｐ）での覚醒を促進させる動作をさせることで、ユーザーの睡眠についての満足度を高めることができる。
【０１０４】
図１０は、リモートコントローラ１ｃの上述とは異なる動作をフローで示す。図１０では、図９で示されるステップ５２に代えて、ステップ５２１が採用されている。その他のステップ５１，５３〜５６については図９で示されるものと同じである。なお、図８で示される態様については、そのまま適用することができる。
【０１０５】
ステップ５２１では、計算部１１が、式（４）に従って、睡眠周期Ｔs及び時刻ｔinから１以上ｎ以下の範囲にある整数ｍの全てについて時刻ｔout（ｍ）を求める。時刻ｔout（ｍ）は、睡眠周期Ｔsに０以外の整数ｍを乗算した結果に基づく情報と把握することができる。
【０１０６】
【数４】
2006317119.tif 000006
【０１０７】
このようなリモートコントローラ１ｃによれば、リモートコントローラ１ｃの簡易な操作で、睡眠周期Ｔsごとに得られる時刻ｔout（ｐ）を通信対象２に送信できる。しかも、時刻ｔout（ｐ）と時刻ｔinとの時間間隔が睡眠周期Ｔsの整数倍Ｔs・ｐであるので、時刻ｔout（ｐ）を就寝時刻ｔbとして採用し、かつ時刻ｔinとして起床時刻ｔｒを採用した場合には、起床時刻ｔrを睡眠状態がレム睡眠の時に合わせることができる。よって、通信対象２に起床時刻ｔrでの覚醒を促進させる動作をさせることで、ユーザーの睡眠についての満足度を高めることができる。
【０１０８】
上述したいずれのリモートコントローラ１ｃにおいても、例えば時刻ｔinに０を採用しても良い。すなわち、睡眠周期Ｔsに０以外の整数ｍを乗算し、乗算した結果の一が選択及び送信される。
【０１０９】
このような態様によれば、例えば時刻に関する情報を送信するよりも、送信部１３から通信対象２へと送信するデータ量を減らすことができる。または、通信対象２が時計を内蔵していない場合であっても、ユーザーの睡眠についての満足度を高める動作を当該通信対象２にさせることができる。
【０１１０】
第４の実施の形態．
図１１は本実施の形態にかかるリモートコントローラ１ｄの動作をブロック図で概念的に示し、図１２は当該動作をフローで示す。リモートコントローラ１ｄは、計算部１１及び制御部１５の動作が第３の実施の形態で説明したリモートコントローラ１ｃと異なり、その他の構成要素の動作についてはリモートコントローラ１ｃと同じである。よって、以下では計算部１１及び制御部１５の動作について説明し、他の構成要素の動作についてはその説明を省略する。なお、図１２で示されるステップ６１，６５は、それぞれ図９で示されるステップ５１，５５と同じである。
【０１１１】
制御部１５は、一の整数ｍ１及び時刻ｔinを計算部１１に与える。計算部１１は、式（３）に従って、整数ｍ１及び時刻ｔinから時刻ｔout（ｍ１）を求める（ステップ６２）。ただし、式（３）では整数ｍに代えて整数ｍ１が採用される。
【０１１２】
ステップ６３〜ステップ６５では、それぞれ第２の実施の形態で説明したステップ４３〜４５と同様の動作が行われる。そして、表示部１２に表示された時刻ｔout（ｍ１）が選択されるまで、ステップ６２〜６５が繰り返される。
【０１１３】
上述したリモートコントローラ１ｄによれば、リモートコントローラ１ｃの簡易な操作で、睡眠周期Ｔsごとに得られる時刻ｔout（ｐ）を通信対象２に送信できる。しかも、時刻ｔinとして特に就寝時刻ｔb（図１２）を採用した場合には、図９で示されるフローに従って動作するリモートコントローラ１ｃと同様の効果が得られる。
【０１１４】
ステップ６２に代えて、図１３で示されるようにステップ６２１を採用しても良い。ステップ６２では、計算部１１が、式（４）に従って、整数ｍ１、睡眠周期Ｔs及び時刻ｔinから時刻ｔout（ｍ１）を求めてもよい。ただし、式（２）では整数ｍに代えて整数ｍ１が採用される。
【０１１５】
このようなリモートコントローラ１ｄによれば、リモートコントローラ１ｃの簡易な操作で、睡眠周期Ｔsごとに得られる時刻ｔout（ｐ）を通信対象２に送信できる。しかも、時刻ｔinとして特に起床時刻ｔr（図１３）を採用した場合には、図１０で示されるフローに従って動作するリモートコントローラ１ｃと同様の効果が得られる。
【０１１６】
上述したリモートコントローラ１ｄにおいても、第３の実施の形態で説明したのと同様に、例えば時刻ｔinに０を採用しても良い。
【図面の簡単な説明】
【０１１７】
【図１】本発明にかかる空調システムを概念的に示す図である。
【図２】第１の実施の形態で説明される、リモートコントローラ１ａの動作を概念的に示すブロック図である。
【図３】リモートコントローラ１ａの動作をフローで示す図である。
【図４】リモートコントローラ１ａの動作をフローで示す図である。
【図５】第２の実施の形態で説明される、リモートコントローラ１ｂの動作を概念的に示すブロック図である。
【図６】リモートコントローラ１ｂの動作をフローで示す図である。
【図７】リモートコントローラ１ｂの動作をフローで示す図である。
【図８】第３の実施の形態で説明される、リモートコントローラ１ｃの動作を概念的に示すブロック図である。
【図９】リモートコントローラ１ｃの動作をフローで示す図である。
【図１０】リモートコントローラ１ｃの動作をフローで示す図である。
【図１１】第４の実施の形態で説明される、リモートコントローラ１ｄの動作を概念的に示すブロック図である。
【図１２】リモートコントローラ１ｄの動作をフローで示す図である。
【図１３】リモートコントローラ１ｄの動作をフローで示す図である。
【符号の説明】
【０１１８】
１  リモートコントローラ
２  空調機（通信対象）
１１  計算部
１２  表示部
１３  送信部
Ｔ  時間間隔
Ｔs  睡眠周期
ｔin，ｔout（１）〜ｔout（ｎ），ｔout（ｐ）  時刻
ｔr  起床時刻
ｔb  就寝時刻
ｍ  整数
【図１】
2006317119.tif 000007
【図２】
2006317119.tif 000008
【図３】
2006317119.tif 000009
【図４】
2006317119.tif 000010
【図５】
2006317119.tif 000011
【図６】
2006317119.tif 000012
【図７】
2006317119.tif 000013
【図８】
2006317119.tif 000014
【図９】
2006317119.tif 000015
【図１０】
2006317119.tif 000016
【図１１】
2006317119.tif 000017
【図１２】
2006317119.tif 000018
【図１３】
2006317119.tif 000019